(57)【要約】【課題】プライバシー保護能力が高く、簡易に組立分解可能であり、分解時にはパーティションとしても利用できる、防音ルームを提供すること。【解決手段】プレート形状の複数の防音部材を付属部品を用いて接続することによって構成される防音ルームである。防音ルームは、防音部材と付属部品とを切り離すことによって簡易に分解可能になっており、分解された防音部材は、パーティションとして使用できる。【選択図】図１
2020105785.tif 000002
【特許請求の範囲】
【請求項１】
プレート形状の複数の防音部材を付属部品を用いて接続することによって構成される防音ルームであって、前記防音ルームは、前記防音部材と前記付属部品とを切り離すことによって分解可能になっており、分解された前記防音部材は、パーティションとして使用できる、防音ルーム。
【請求項２】
前記防音部材は、吸音部と、遮音部と、前記吸音部と前記遮音部との間に設置された減衰部とを含む、防音ルーム。
【請求項３】
請求項１又は２に記載の防音ルームに使用される、防音部材。
【発明の詳細な説明】
【技術分野】
【０００１】
本発明は、簡易に組立分解可能な防音ルームに関する。
【背景技術】
【０００２】
従来、災害時の避難所等として、体育館等の公共施設の大きな空間が使用される。大きな空間においては、避難者の居住空間を区画整理する等のために、簡易パーティションが利用される。災害時に使用する簡易パーティションの例として、たとえば特許文献１がある。
【０００３】
しかし、従来のパーティションを使用して作製された部屋は、防音効果が乏しく、また、部屋の天井が開いているために上部から部屋の中が見えてしまい、避難者のプライバシーが十分に守られているとはいえない。さらに、平常時にパーティション等の資材を保管しておくために、大きなスペースが必要となる点も問題となっている。
【先行技術文献】
【特許文献】
【０００４】
【特許文献１】特開２０１５−１２９４２９号
【発明の概要】
【発明が解決しようとする課題】
【０００５】
本発明は、プライバシー保護能力が高く、簡易に組立分解可能であり、分解時にはパーティションとしても利用できる、防音ルームを提供することを目的とする。
【課題を解決するための手段】
【０００６】
上記課題を解決するため、本発明は、プレート形状の複数の防音部材を付属部品を用いて接続することによって構成される防音ルームであって、前記防音ルームは、前記防音部材と前記付属部品とを切り離すことによって分解可能になっており、分解された前記防音部材は、パーティションとして使用できる。
【０００７】
また、本発明の別の実施形態では、前記防音部材は、吸音部と、遮音部と、前記吸音部と前記遮音部との間に設置された減衰部とを含む。少なくとも吸音部と遮音部とをプレート形状の構造にすると、高い防音効果を奏する防音部材を効率的に製造し易い。
【０００８】
また、本発明の別の態様は、上記防音ルームに使用される、防音部材である。
【図面の簡単な説明】
【０００９】
【図１】本発明の一実施形態による防音ルームの概略全体斜視図である。
【図２】図１の防音ルームの概略分解図である。
【図３】防音部材の断面構成を表す説明図である。
【図４】天板の取り付け構造を示す概略断面図である。
【図５】扉用の防音部材の取り付け構造を示す概略断面図である。
【図６】測定結果を示すグラフである。
【発明を実施するための形態】
【００１０】
図１は、本発明の一実施形態による防音ルーム１の概略全体斜視図である。防音ルーム１は、プレート形状の複数の防音部材２を、付属部品（フレーム、コネクタ等）を用いて接続することによって構成されている。防音ルーム１は、防音部材２と付属部品とを切り離すことによって簡易に分解可能になっている。分解された防音部材２は、たとえばオフィス等で、パーティションとして使用できる。
【００１１】
図２は、図１の防音ルーム１の概略分解図である。防音ルーム１は、基礎フレーム３の上に防音部材２が設置され、防音部材２の上に天井用フレーム４が設置されるように構成されている。基礎フレーム３と防音部材２とは、コネクタ５によって接続される。同様に、防音部材２と天井用フレーム４とは、コネクタ５によって接続される。天井用フレーム４の上には天板固定フレーム６が設置され、天板固定フレーム６によって天板７が取り付けられる。天板固定フレーム６は、天井用フレーム４と一体構造となっていても良い。防音ルーム１の側壁を構成する防音部材２の１つは、扉としての機能を有している。扉用の防音部材２ａは、上部に扉用フレーム８が取り付けられている。扉用フレーム８には、移動部材としてローラー９が取り付けられており、ローラー９は、天井用フレーム４の上を転がることができるようになっている。この構造により、扉用の防音部材２ａは、スライド式の扉としての機能を果たすことができる。移動部材は、扉用フレーム８と一体構造となっていても良い。
【００１２】
防音部材２は、所定の位置にコネクタ５を差し込むための孔部を有している。コネクタ５の一方の端部は、孔部に差し込むための形状をしており、他方の端部は、２つのピースに分割されている。その２つのピースは、ボルトによって接続されており、ボルトを締めることによって、２つのピースの距離が縮まるようになっている。２つのピースの端部は、それぞれ、対向する爪の形になっており、ボルトを操作することによって、爪部が開閉し、把持又は解放することができるようになっている。基礎フレーム３の中には、例えばレール形状のガイド凸部が設けられており、コネクタ５の爪部が、基礎フレーム３のガイド凸部を把持することができるようになっている。以上の構成により、防音部材２は、コネクタ５によって基礎フレーム３に接続される。上記構成以外であっても、公知の任意の構成を使用することによって、防音部材２と基礎フレーム３とを接続することが可能である。
【００１３】
また、防音部材２と天井用フレーム４との間の接続についても、防音部材２と基礎フレーム３との間の接続と同様の構成とすればよい。また、基礎フレーム３は、例えば直線状のフレームパーツ１０をコネクタ５によって接続して組み立てる構成にすればよい。
【００１４】
図３は、防音部材２の断面構成を表す説明図である。防音部材２は、プレート形状の吸音部１１と、プレート形状の遮音部１２と、吸音部と遮音部との間に設置された減衰部１３とを含む。それらを例えば純アルミ製のパネルフレーム１４で固定して防音部材２を形成するのが望ましい。パネルフレーム１４は、コネクタ５に任意の方法で固定することができ、コネクタ５と一体構造であっても良い。防音部材２は、パーティションとして使用するときには、コネクタ５の代わりに又はコネクタ５と共にキャスターやスタンドを取り付けることによって自立させることが可能である。
吸音部１１には、グラスウールや多孔質セラミックスや金属繊維体や金属発泡体を用いることができるが、金属多孔質焼結体を使用することが好ましい。特に、アルミニウム多孔質焼結体（たとえば、ＮＤＣ製カルム（登録商標））を使用することが好ましい。
減衰部１３は、気体層、吸音ウール、発泡ウレタン、ハニカム、ハニカムスプレー、又は、それらの組合せとすることが好ましい。気体層である空気層を用いることが簡便である。組立容易性の観点から、空気層の厚さは、２０ｍｍ以上５００ｍｍ以下とすることが好ましい。防音効果の観点から、空気層の厚さは、２５ｍｍ以上２００ｍｍ以下とすることが好ましい。
遮音部１２には、プレート形状とした、アルミ樹脂複層材、塩ビ、アクリル、プラスチックダンボール、又は、ポリカーボネイトを使用することが好ましい。
【００１５】
防音部材２の使用例として、特に以下の組み合わせが好ましい。括弧内は厚さを示す。
１．アルミニウム多孔質焼結体（３ｍｍ）＋空気層（２８ｍｍ）＋アルミ樹脂複層材（３ｍｍ）
他に、２．アルミニウム多孔質焼結体（３ｍｍ）＋吸音ウール（２０ｍｍ）＋空気層（８ｍｍ）＋アルミ樹脂複層材（３ｍｍ）
３．アルミニウム多孔質焼結体（４ｍｍ）＋空気層（３０ｍｍ）＋塩ビ板（３ｍｍ）
４．アルミニウム多孔質焼結体（２ｍｍ）＋ハニカム部材（２５ｍｍ）＋アルミ樹脂複層材（４ｍｍ）、の組み合わせも好ましい。
吸音部１１としての金属多孔質焼結体は、強度及び重量の観点からアルミニウム基が望ましいが、銅基や鉄基を用いても良い。ブロンズ、ステンレス、鋼、チタン、ニッケル等の焼結体も用途に応じて適宜用いることができる。アルミニウム多孔質焼結体は、純アルミからなるばかりでなく、例えば銅、シリコン、マンガンの１以上を含む合金であっても良い。また、アルミニウム多孔質焼結体は、空孔率４０〜５０％が防音性及び強度の観点から望ましい。
【００１６】
次に、図２を参照して、防音ルーム１の組み立てについて説明する。防音ルーム１の組み立て時には、まず、基礎フレーム３を組み立てる。基礎フレーム３は、コネクタ５を介してフレームパーツ１０を所望の数だけ接続することによって、所望のサイズに調整可能である。次に、コネクタ５を用いて防音部材２を基礎フレーム３に接続していく。コネクタ５は、上述の構造をしているので、コネクタのボルトを締めることによって接続していけばよい（たとえば、コネクタのボルトが六角穴付きボルトの場合には、六角レンチで締めることができる）。次に、コネクタ５を用いて天井用フレーム４を防音部材２に接続する。天井用フレーム４も、基礎フレーム３と同様に、コネクタ５を介してフレームパーツ１０を必要な数だけ接続することによって、基礎フレーム３に対応するサイズに調整すればよい。
フレームパーツ１０は、純アルミ製の中空のパイプ形状が強度及び重量の観点から好ましい。フレームパーツ１０に化粧板１５を取付けることもできる。フレームパーツ１０は、化粧板１５と一体になっている形状であっても良い。
【００１７】
次に、天井用フレーム４の上に天板固定フレーム６を設置する。図４は、天板の取り付け構造を示す概略断面図である。天板固定フレーム６は、樹脂製であり、２つのパーツ（上部天板固定フレーム６１及び下部天板固定フレーム６２）から構成されている。先に、下部天板固定フレーム６２を天井用フレーム４の上に設置し、天板７をその上に設置し、さらに上から上部天板固定フレーム６１を設置する。この構造によって、天板７が、上部天板固定フレーム６１と下部天板固定フレーム６２との間に挟み込まれる形で固定される。
また、図４には、コネクタ５が天井用フレーム４のガイド凸部を把持する様子も表されている。爪部を有するコネクタ５の２つのピースが、六角穴付きボルト及び六角袋ナットの組み合わせによって締め付けられる構造が理解できる。
【００１８】
次に、扉用の防音部材２ａを取り付ける。図５は、扉用の防音部材２ａの取り付け構造を示す概略断面図である。コネクタ５を用いて扉用の防音部材２ａの上に扉用フレーム８を取り付けることができる。扉用フレーム８には、移動部材としてローラー９が取り付けられており、ローラー９は、天井用フレーム４の上を転がることができるようになっている。移動部材は、天井用フレーム４の上を摺動して移動する構造としても良い。
【００１９】
次に、本発明の防音ルームの防音効果を示す実験結果を示す。上記に説明してきた本発明の防音ルームに基準音源８９．１０（ｄＢ）を設置した。基準音源を防音ルーム外壁から１ｍの地点に設置し、防音ルーム内側中央で測定した場合と、基準音源場所と測定場所を入れ替えた場合（基準音源を防音ルーム内側中央設置し、防音ルーム外壁から１ｍの地点で測定した場合）について実験を行った。比較例として、本発明の防音ルームの壁を無しとした場合（比較例１）、アルミ板３ｍｍシングルとした場合（比較例２）、及び、アルミ板３ｍｍダブルとした場合（比較例３）を行った。表１に示すとおり、本発明は、比較例１〜３と比較して、音の減衰が大きく、高い防音効果を得られている。
【表１】
2020105785.tif 000003
【００２０】
次に、本発明の防音ルームの防音効果を示す別の実験結果を示す。基準音源を防音ルーム外壁から１ｍの地点に設置し、防音ルーム内側中央で測定した場合（図６中のデータＢ）と、基準音源場所と測定場所を入れ替えた場合（図６中のデータＣ）（基準音源を防音ルーム内側中央に設置し、防音ルーム外壁から１ｍの地点で測定した場合）について実験を行った。比較例として、壁無しの状態で音源から１ｍの地点でも測定を行った（図６中のデータＡ）。
・基準音源７０ｄＢ
・防音部材の材質：ＳＵＳ（株）製のアルミ樹脂複層材とＮＤＣ製のアルミニウム多孔質焼結体を組み合わせ、減衰部１３として空気層の厚さを２８ｍｍとした。なお、本実験では、厚さ３ｍｍのアルミ樹脂複層材（アルミニウム０．１５ｍｍ＋ポリエチレン樹脂＋アルミニウム０．１５ｍｍ）、厚さ３ｍｍ空孔率４５％のアルミニウム多孔質焼結体を用いた。
・天板の材質：アルミ樹脂複層材（面積の３分の１に乳白色の塩ビ板を使用した）
・その他の付属品の材質：純アルミ（簡易ＬＥＤ照明、取手等を除く）
【００２１】
測定結果を図６に示す。基準音源を防音ルーム外壁から１ｍの地点に設置し、防音ルーム内側中央で測定した場合、平均で５８．４２ｄＢ（７０ｄＢ基準から１１．５８ｄＢ減少）となった。基準音源を防音ルーム内側中央に設置し、防音ルーム外壁から１ｍの地点で測定した場合、平均で５７．２２ｄＢ（７０ｄＢ基準から１２．７８ｄＢ減少）となった。
【００２２】
本発明は、通常時はパーティションとして利用し、災害発生時に避難所用の防音ルームに転用できる。非常時用の防音ルームの保管場所を別途多く確保する必要なく、通常時は、防音ルームの資材を有効活用することが可能である。本発明は、防音効果の高い防音部材を使用するため、外部からの音や、外部に漏れる音を低減させる機能に優れている。また、廃却時には、リサイクルが可能であり、環境にやさしい。また、本発明は、耐食性、耐水性、耐風圧などにも優れている。本発明は、防音効果も高く、天井も有する閉鎖空間を提供できるため、プライバシーの確保で非常に優れている。また、天井に、本発明の防音部材２や単独でＮＤＣ製カルムを用いても良いが、乳白色塩ビ板等を使用することなどにより、防音ルーム内部に外部光を取り込むことも可能であり、防音ルーム内部は暗くならないようにできる。また、本発明品は、パーティションを壁として使用するだけでなく、パーティションを扉としても使用できるため、パーティションを災害発生時の避難所用の防音ルームに効率的に転用でき、これは、扉用の部材を別途保管しておく必要がなく、結果として、付属部品の保管場所の低減にもつながる。従来の避難所用パーティションには、カーテンが使用されることも多く、施錠が出来ないが、本発明は、施錠可能にすることができる。このように、避難所で用いられる本発明は、プライバシー保護能力が高く、避難者にとってより確実なプライバシー確保への一助となることが考えられる。
【００２３】
また、本発明は、六角レンチ１本で簡易に組み立てできる構造になっている。また、本発明は、リサイクルのし易さや耐食性、耐水性、耐風圧、耐火性を確保するため、主たる部材をアルミ製に統一することが有益である。また、十分な防音効果を得るためには、ＮＤＣ製カルムとアルミ樹脂複層材との間の空気層を２５ｍｍ以上にするのがよい。１００Ｈｚ以下のような低域音（例えば、運転機械が発する音）の防音には、空気層を８０〜１００ｍｍにすることが特に望ましい。また、本発明は、基礎フレーム３等のフレームパーツ１０やコネクタ５等を調整することによって、簡易ＬＥＤ照明、火災報知器、及び施錠鍵等を設置することも可能である。
【００２４】
本発明は、基礎フレームや天井用フレーム等の連結フレームを使用してパーティションをルームタイプに転用できる。本発明の接続構造によれば、コネクタがフレームを挟む位置を自由に変えられる。また、フレームを複数挟むことができる。また、コネクタをスライドできるため、防音部材を任意の位置と向きにすることができる。また、パーティションの向きを交互に変えられる。さらに、天板を用途に応じて変えることが可能である。また、本発明は、避難所の他、騒音が発生する機械を囲むために使用することもできる。また、基礎を地面に打ち込まなければならない構造ではないので、移動も簡単である。
【符号の説明】
【００２５】
１  防音ルーム
２  防音部材
２ａ  扉用の防音部材
３  基礎フレーム
４  天井用フレーム
５  コネクタ
６  天板固定フレーム
６１  上部天板固定フレーム
６２  下部天板固定フレーム
７  天板
８  扉用フレーム
９  ローラー
１１  吸音部
１２  遮音部
１３  減衰部
【図１】
2020105785.tif 000004
【図２】
2020105785.tif 000005
【図３】
2020105785.tif 000006
【図４】
2020105785.tif 000007
【図５】
2020105785.tif 000008
【図６】
2020105785.tif 000009